(57)【要約】【課題】　複数の撮像素子を組合わせたビデオカメラにおいて、各々の撮像素子から得られた映像信号を切り替え、または合成して記録するビデオカメラを提供する。【解決手段】　第１のカメラ部１０、第２のカメラ部１１、外部携帯電話に具備された第３のカメラ部３０ａ、ＶＴＲ部１４、メモリカード部１５、及びＰＣＩ／Ｆ１９から得られた映像信号をモニタ１３により確認し、操作ボタン１７からの操作を通じて、マイコン１６の制御により、ＦＭコントロール回路部１２内で生成した画像を、ＶＴＲ部１４、メモリカード部１５、ＰＣＩ／Ｆ１９、または携帯電話送信部１８に供給するように構成した。【選択図】　　　図１
2004096732.tif 000002
【特許請求の範囲】
【請求項１】
　撮像方向が可動可能なレンズ系を含む複数のレンズ系と、
　これらに対応して夫々設けられる複数の固体撮像素子と、
　前記固体撮像素子により映像信号を得る信号処理手段と、
　前記得られた映像信号を記録し、再生するための記録再生部と、
を少なくとも有するビデオカメラにおいて、
　外部携帯端末と間で映像信号を送受信する送受信手段と、
　前記携帯端末とは別系統の外部装置と間で映像信号を通信可能とするためのインターフェースと、
　前記携帯端末と外部装置とから入出力される映像信号を所定フォーマットに変換するためのフォーマット変換部と、
　前記信号処理手段及び前記フォーマット変換部より得られた映像信号を所定の表示形態に合成するための合成手段と、
　前記合成された映像を表示するための表示手段と、
　前記表示された画像を選択し、前記携帯端末及び／又は外部装置に選択供給するための選択手段と、
　前記合成手段より得られた映像信号を記録するための複数の記録媒体と、
を有し、
　前記複数の記録媒体より再生された映像信号を前記選択手段により選択し、前記携帯端末及び／又は外部装置に選択供給するようにしたことを特徴とするビデオカメラ。
【発明の詳細な説明】
【技術分野】
【０００１】
　本発明は、多機能ビデオカメラに関する。
【背景技術】
【０００２】
　従来ビデオカメラには、画像入力装置として１系統の撮像装置が内蔵されている。従って、画角は搭載されているレンズで決まっており、搭載されているレンズ以上の広角あるいは望遠撮影を行うことはできない。そこで、特開平５−１１０９３０号公報（特許文献１）によれば撮像画角の異なるカメラを切り替えて画角を拡大させる構成のカメラ装置が開示されている。
【０００３】
　また、従来の装置は、画像入力装置として１系統の撮像装置しか内蔵していないため複数の被写体像を記録することができない。そこで、特開平８−２４２３９９号公報（特許文献２）によれば複数のカメラを用いこれらを切り替える構成のカメラ装置が開示されている。
【特許文献１】特開平５−１１０９３０号公報
【特許文献２】特開平８−２４２３９９号公報
【発明の開示】
【発明が解決しようとする課題】
【０００４】
　ところが、家庭用ビデオカメラのユーザが例えば家族を撮影している場合、撮影者本人がその映像には加わることができないという問題があった。また、画角を広角にし周囲の情景まで撮影している時は人物の表情が撮影できない、逆に人物の顔をアップにするような場合には、それとは逆に周囲の情景が撮影できないという問題があった。前記各公報に開示されている技術を用いてもこれらの問題は解決できず、従来のビデオカメラでは、被写体と撮影者との同時撮影画像及び、被写体の異なる画角での同時撮影画像は、複数のビデオカメラを使用して各々の画像を撮影し、撮影終了後に編集するしか方法がなかった。
【０００５】
　さらに、近年携帯電話による画像の通信やパソコン（以下ＰＣと記す）による画像データのやりとりが行われるようになっている。しかしながら、携帯電話からの画像は同種の携帯電話に送信して見ることしかできず、記録媒体に記録する方法がないという問題があった。そして、ビデオカメラからＰＣに画像データを供給するには、一旦記録媒体を介して行うか、ＰＣ側に画像転送のソフトウエアを用意しなければならず、必ずしも使い勝手がよいものではなっかた。
【０００６】
　本発明は、以上の点に鑑みなされたもので、光軸の異なるレンズ系に対応した複数の撮像素子を１台のビデオカメラに搭載し、各々の撮影画像を切り替えるあるいは、合成して１画像にして記録するようにしたことにより、被写体と撮影者との同時撮影画像や被写体の異なる画角での同時撮影画像をリアルタイムで記録することが可能なビデオカメラを提供することを目的とする。
【０００７】
　また、メモリカードを内蔵するビデオカメラにおいては、被写体と撮影者とを、あるいは異なる画角での撮影画像をテープに記録するかメモリカードに記録するかを切り替えられるビデオカメラを、また前記合成した同時撮影画像をテープに記録するかメモリカードに記録するかを切り替えられるビデオカメラを提供することを目的とする。
【０００８】
　さらには、通信手段として携帯電話の送受信部及びＰＣへのインターフェイスを具備し、上記撮像素子の映像に加え携帯電話やＰＣの内蔵カメラから供給される画像を記録できるようにすると共に、上記撮像素子の映像やテープあるいはメモリカードから再生された映像やそれらを合成した映像を携帯電話に送信したり、ＰＣへのインターフェイスを経由してＰＣに供給することができるビデオカメラを提供することを目的とする。
【課題を解決するための手段】
【０００９】
　本発明は、上記課題を解決するために以下に記載の手段よりなる。
【００１０】
　すなわち、
　　撮像方向が可動可能なレンズ系を含む複数のレンズ系と、
　これらに対応して夫々設けられる複数の固体撮像素子と、
　前記固体撮像素子により映像信号を得る信号処理手段と、
　前記得られた映像信号を記録し、再生するための記録再生部と、
を少なくとも有するビデオカメラにおいて、
　外部携帯端末と間で映像信号を送受信する送受信手段と、
　前記携帯端末とは別系統の外部装置と間で映像信号を通信可能とするためのインターフェースと、
　前記携帯端末と外部装置とから入出力される映像信号を所定フォーマットに変換するためのフォーマット変換部と、
　前記信号処理手段及び前記フォーマット変換部より得られた映像信号を所定の表示形態に合成するための合成手段と、
　前記合成された映像を表示するための表示手段と、
　前記表示された画像を選択し、前記携帯端末及び／又は外部装置に選択供給するための選択手段と、
　前記合成手段より得られた映像信号を記録するための複数の記録媒体と、
を有し、
　前記複数の記録媒体より再生された映像信号を前記選択手段により選択し、前記携帯端末及び／又は外部装置に選択供給するようにしたことを特徴とするビデオカメラ。
【発明の効果】
【００１１】
　以上説明したように本発明のビデオカメラによれば、光軸の異なる複数の撮像素子を１台のビデオカメラに搭載し、また外部携帯電話の映像を受信し、各々の撮影画像を切り替えるあるいは、合成して１画像にして記録するようにしたことにより、被写体と撮影者との同時撮影画像や被写体の異なる画角での同時撮影画像をリアルタイムで記録することが可能なビデオカメラを提供できる。
【００１２】
　また、メモリカードを内蔵するビデオカメラにおいては、被写体と撮影者とをあるいは異なる画角での撮影画像をテープに記録するかメモリカードに記録するかを切り替えられるビデオカメラを、また前記合成した同時撮影画像をテープに記録するかメモリカードに記録するかを切り替えられるビデオカメラを提供できる。
【００１３】
　さらには、ビデオカメラにＰＣインターフェースを設けたことにより直接ＰＣに接続し通信することが可能となりまた、携帯電話送信部を設けたことにより、ビデオカメラで撮影した映像や携帯電話からの映像をリアルタイムに送信することが可能となり多機能で利便性のよいビデオカメラを提供できる。
【発明を実施するための最良の形態】
【００１４】
　以下、本発明に係るビデオカメラの発明の実施の形態につき、図１乃至図５を用いて好ましい実施例により説明する。
【００１５】
　図１は、その実施例に適用されるビデオカメラの概略ブロック図である。同図は、ビデオカメラに撮像素子ＣＣＤ１０ｂ，ＣＣＤ１１ｂを２台搭載し、外部携帯電話のカメラを１台を組合わせ得られる映像信号を３系統とした例である。図２は、図１に示すＦＭコントロール回路部１２の動作をさらに詳細に説明するための図である。
【００１６】
　まず図３を用いて、ビデオカメラ２０に２台の撮像素子を搭載する外装例を説明する。同図（ａ）は、ビデオカメラ２０全体を示したもので、従来からビデオカメラ２０に用いられる通常撮影用の第１のカメラ部１０が搭載されている。第２のカメラ部１１はモニタ部１３上端に設けられており、（ｂ）にモニタ部１３のみを拡大して示す。（ｃ）にそのモニタ部１３の側面構成を示すように、第２のカメラ部１１を周知の構成により回転可能に設ける。（ｄ）は第２のカメラ部１１を回転させ撮影者方向に光軸を向けたモニタ部１３の状態を示している。このような構造にすることで、異なる光軸の映像あるいは同じ光軸の異なる画角の映像を得ることができるようにしているものである。
【００１７】
　次に入来映像についてその処理につき順次説明する。図１に示すように第１のカメラ部１０の構成は、レンズ１０ａより入来した撮像光を、撮像素子ＣＣＤ１０ｂで撮像信号に変換した後、Ａ／Ｄ変換部１０ｃにてデジタル信号に変換して周知の信号処理回路１０ｄにて映像信号に整形した後、フレームメモリコントロール回路部（以下ＦＭコントロール回路部と記す）１２に供給する構成となっている。
【００１８】
　同様に、第２のカメラ部１１のレンズ１１ａより入来した撮像映像を、撮像素子ＣＣＤ１１ｂで撮像信号に変換した後、Ａ／Ｄ変換部１１ｃにてデジタル変換し周知の信号処理回路１１ｄにて映像信号に整形した後、ＦＭコントロール回路部１２に供給するようにしている。
【００１９】
　通常、ビデオカメラとそのビデオカメラから得られた得映像信号を記録再生する記録再生部とが一体となった、いわゆるカメラ一体型記録再生装置においては、記録再生部が取り扱う信号方式に合わせ、ビデオカメラやモニタが設定されている。従って、このようなカメラ一体型記録再生装置に外部装置を接続した場合や、記憶方式が異なる半導体記録媒体などを設けた場合においては、映像信号処理回路を共通とするためには、各外部装置、半導体記録媒体から得た映像信号方式をカメラ一体型記録再生装置の映像信号方式に変換する必要がある。逆に、カメラ一体型記録再生装置の映像信号処理回路で生成された映像信号を、、各外部装置、半導体記録媒体に供給する場合には、カメラ一体型記録再生装置の映像信号方式を各外部装置、半導体記録媒体の映像信号方式に変換する必要がある。これらの
映像信号方式変換を図２のフォーマット変換部（以下Ｆ変換部と記す）１２ｋ，１２ｌ，１２ｍ，１２ｎ，１２ｏ，１２ｐに示す。
【００２０】
　外部通信装置である携帯電話３０に搭載された第３のカメラ部３０ａの映像は、携帯電話３０から送信され携帯電話受信部１８供給される。携帯電話受信部１８により映像信号を取り出した後、ＦＭコントロール回路部１２のＦ変換部１２ｋに供給され前述の内蔵撮像素子で得られた映像信号と方式を合わせメモリ１２ａに供給される。
【００２１】
　さらには、ＰＣインターフェース（ＰＣＩ／Ｆ）１９に接続された図示しないＰＣからはＰＣに搭載されているカメラの映像やＰＣ内の記録メディアに収められている映像がＦＭコントロール回路部１２のＦ変換部１２ｍに供給され前述の内蔵撮像素子で得られた映像信号と方式を合わせメモリ１２ｈに供給される。
【００２２】
　ＶＴＲ部１４が再生モードにあるときはその再生された映像信号がＦＭコントロール回路部１２に供給される。同様に、メモリカードが装着されているメモリカード部１５が再生モードにあるときはその再生された映像信号がＦＭコントロール回路部１２のＦ変換部１２ｌに供給され前述の内蔵撮像素子で得られた映像信号と方式を合わせメモリ１２ｅに供給される。
【００２３】
　図２を用いて前記のＦＭコントロール回路部１２の動作をさらに詳細に説明する。第１のカメラ部１０、第２のカメラ部１１、第３のカメラ部３０ａ、ＰＣＩ／Ｆ１９、ＶＴＲ部１４及びメモリカード部１５より供給された映像信号が一旦メモリ１２ａ，１２ｂ，１２ｃ，１２ｄ，１２ｅ，１２ｆを含むメモリ部１２ｈに取り込まれるとともに、モニタ画面作成部１２ｉ、マトリックススイッチ１２ｊに供給される。前術のように、ＰＣＩ／Ｆ１９、ＶＴＲ部１４及びメモリカード部１５より供給された映像信号は、各Ｆ変換部に供給され前述の内蔵撮像素子で得られた映像信号と方式を合わせ各メモリに供給される。
【００２４】
　モニタ画面作成部１２ｉでは、入来中の映像信号を確認するため、第１のカメラ部１０、第２のカメラ部１１、第３のカメラ部３０ａ、ＰＣＩ／Ｆ１９、ＶＴＲ部１４及びメモリカード部１５より供給された映像信号及び合成回路部１２ｇにて合成された映像を間引いて一旦メモリに記憶させ分割表示に応じ読み出すことにより分割表示された１画面の映像信号として、マトリックススイッチ１２ｊを経由しモニタビューファ１３に表示する。このとき後述するが、モニタビューファ１３画面上に、各入力画面の識別及びその映像信号がどのメディアに供給されているか表示しておくようにする。
【００２５】
　合成映像信号であるが、第１のカメラ部１０、第２のカメラ部１１、第３のカメラ部３０ａ、ＰＣＩ／Ｆ１９、ＶＴＲ部１４及びメモリカード部１５より供給された映像信号を一旦メモリ１２ａ，１２ｂ，１２ｃ，１２ｄ，１２ｅ，１２ｆに取り込み、操作ボタン１７からモニタビューファ１３画面上より親画像となる方の映像信号及び子画面となる方の映像信号を決定し、子画像をはめ込む位置を決定する。それらが決定されると合成回路部１２ｇにて親画像のメモリを読み出す際、合成する位置では子画面側のメモリを間引きながら読み出し、合成画像を得た後マトリックススイッチ１２ｊに供給する。
【００２６】
　本実施例においては、前記の親子の２画面の合成で説明したが、撮像素子が供給する画面数の多画面を合成してもよく、その場合メモリ制御を合成する画面数に合わせた構成とすればよい。
【００２７】
　また、メモリ部１２ｈをメモリ１２ａ，１２ｂ，１２ｃ，１２ｄ，１２ｅ，１２ｆ及び合成回路部１２ｇからなる構成として説明したが、メモリ部１２ｈを１つのメモリで構成してそれぞれ供給される映像信号を別アドレスを割り振り記憶しておき、読み出しを制御することで合成映像を得る構成としてもよい。
【００２８】
　マトリックススイッチ１２ｊでは、ユーザの選択が操作ボタン１７より入力されるとその入力操作信号に従ってマイコン１６が、ＶＴＲ部１４、メモリカード部１５に記録すべき映像信号を、ＰＣＩ／Ｆ１９及び携帯電話送信部１８に通信する映像信号を供給するよう制御している。このとき、メモリカード部１５に供給する映像信号は、メモリカードの記録方式に変換するためにＦ変換部１２ｏを介して供給される。同様に、ＰＣＩ／Ｆ１９及び携帯電話送信部１８に供給する映像信号は、それぞれの方式に合致させるためＦ変換部１２ｐ及びＦ変換部１２ｎを介して供給される。
【００２９】
　切り替え、合成画像を制御する構成を図３，４，５を用い映像を示すことによりにさらに詳細に説明する。ここでは、説明を分りやすくするため入来画像を第１のカメラ部１０と、第２のカメラ部１１、第３のカメラ部３０ａとにより撮影された映像とする。前述のようにＰＣＩ／Ｆは双方向の映像の通信が可能であり、ＰＣに内蔵カメラが装備されている場合はＰＣに搭載されているカメラの映像やＰＣの記録メディアに収められている映像、及びＶＴＲ部１４、あるいはメモリカード部１５が再生モードにあるときは記録された映像信号も入来映像信号とすることができる。
【００３０】
　図４を用い記録及び通信する画像を選択する構成を説明する。同図（ａ），（ｂ），（ｃ）は、各々第１のカメラ部１０と、第２のカメラ部１１、第３のカメラ部３０ａとにより撮影された映像である。今第１のカメラ部１０と、第２のカメラ部１１とは図３（ｂ）の状態で同じ光軸である場合、（ａ），（ｂ）は、同じ構図で画角の異なる映像となる。また、説明を容易にするため第３のカメラ部３０ａでは（ｃ）のような花の映像が得られている。これら、（ａ），（ｂ），（ｃ）とＦＭコントロール回路部１２で合成した信号を加え、記録及び通信する映像として（ｄ），（ｅ），（ｆ），（ｇ）を得る。これらをマトリックススイッチ１２ｆでユーザの選択に応じ切り替えＶＴＲ部１４，メモリカード部１５，ＰＣＩ／Ｆ１９，携帯電話送信部１８に供給する。このとき、メモリカード部１５に供給する映像信号は、メモリカードの記録方式に変換するためにＦ変換部１２ｏを介して供給される。同様に、ＰＣＩ／Ｆ１９及び携帯電話送信部１８に供給する映像信号は、それぞれの方式に合致させるためＦ変換部１２ｐ及びＦ変換部１２ｎを介して供給される。
【００３１】
　これらの状態を把握するため、モニタビューファ１３にはＦＭメモリコントロール回路部１２内で生成された（ｈ）のような分割表示画面が供給される。このとき、各画面には入力カメラの番号、供給先の装置が画面に上乗せ表示されるよう構成すれば操作性を向上することができる。
【００３２】
　同様に図３（ｃ）に示すように、モニタ部１３上端に第２のカメラ部１１の位置を変化させモニタ画面側すなわちビデオカメラを操作撮影している人物側に光軸を向けたのが同図（ｄ）である。このとき第２のカメラ部１１の光軸は第１のカメラ部１０と異なる向きを持っており、第１のカメラ部１０と、第２のカメラ部１１とで異なる画像を得ることにより、異なる画像を同時に記録することができる。
【００３３】
　図５を用い異なる画角の画像を同時に記録及び通信する構成を説明する。同図（ａ），（ｂ），（ｃ）は、各々第１のカメラ部１０と、第２のカメラ部１１、第３のカメラ部３０ａとにより撮影された映像である。今第１のカメラ部１０と、第２のカメラ部１１とは図３（ｄ）の状態で異なる光軸である場合、（ａ），（ｂ）は、光軸の異なる映像となる。また、説明を容易にするため第３のカメラ部３０ａでは（ｃ）のような花の映像が得られている。これら、（ａ），（ｂ），（ｃ）とＦＭコントロール回路部１２で合成した信号を加え、記録及び通信する映像として（ｄ），（ｅ），（ｆ），（ｇ）を得る。これらをマトリックススイッチ１２ｆでユーザの選択に応じ切り替えＶＴＲ部１４，メモリカード部１５，ＰＣＩ／Ｆ１９，携帯電話送信部１８に供給する。このとき、メモリカード部１５に供給する映像信号は、メモリカードの記録方式に変換するためにＦ変換部１２ｏを介して供給される。同様に、ＰＣＩ／Ｆ１９及び携帯電話送信部１８に供給する映像信号は、それぞれの方式に合致させるためＦ変換部１２ｐ及びＦ変換部１２ｎを介して供給される。
【００３４】
　本実施例では、ビデオカメラに搭載する撮像素子は２素子であるが、さらに多数の撮像素子を搭載し構成してもよい。
【００３５】
　また、メモリはフレームメモリを用いる構成としたが、フィールドメモリを用いてもよく、切り替え選択のみの場合はメモリを持たない構成としてもよい。
【００３６】
　合成映像を得る場合、子画面に関しては全画面分メモリを持つ必要はなく、親画面と子画面との関係を予め決めておけば、合成する子画面に必要な画素数のメモリのみを搭載するような構成にすればよく、使用するメモリの容量を軽減することができる。
【００３７】
　本実施例では、ビデオカメラに搭載する記録媒体を磁気記録再生テープ及び半導体記録媒体のメモリカードとしたが、ディスク状の磁気記録メディア、光記録メディア等を用いてもよく、また複数台あるいは組合わせて用いる構成としてもよい。
【００３８】
　第２のカメラ部の撮像素子を低画素の素子あるいは、ＣＭＯＳを使用し、第２のカメラ部およびビューファのみを動作させるモードを設定してやることにより、低消費電力のビデオカメラとして構成することができる。
【００３９】
　また、第２のカメラ部は固定焦点のレンズを具備し、アイリス（光学的絞り機構）を持たず、光量調整を電気的に行うように構成することにより第２のカメラ部を小型化することができる。
【図面の簡単な説明】
【００４０】
【図１】本発明の実施例に適用されるビデオカメラの概略ブロック図である。
【図２】本発明の実施例に適用されるフレームメモリコントロール回路部の概略ブロック図である。
【図３】本発明の実施例に適用されるビデオカメラの外観の一例を示す図である。
【図４】本発明の実施例に適用されるビデオカメラの撮影映像及び、記録、通信される映像信号の一例を示す図である。
【図５】本発明の実施例に適用されるビデオカメラの撮影映像及び、記録、通信される映像信号の一例を示す図である。
【符号の説明】
【００４１】
１０…第１のカメラ部
１１…第２のカメラ部
１０ａ，１１ａ…レンズ
１０ｂ，１１ｂ…ＣＣＤ
１０ｃ，１１ｃ…Ａ／Ｄ変換部
１０ｄ，１１ｄ…信号処理回路部
１２…ＦＭコントロール回路部
１３…モニタ
１４…ＶＴＲ部
１５…メモリカード部
１６…マイコン
１７…操作ボタン
３０…携帯電話
３０ａ…第３のカメラ部
１９…ＰＣインターフェース
２０…ビデオカメラ
１２ａ，１２ｂ，１２ｃ，１２ｄ，１２ｅ，１２ｆ…メモリ
１２ｇ…合成回路部
１２ｈ…メモリ部
１２ｊ…マトリックススイッチ
１２ｉ…モニタ画面合成部
【図１】
2004096732.tif 000003
【図２】
2004096732.tif 000004
【図３】
2004096732.tif 000005
【図４】
2004096732.tif 000006
【図５】
2004096732.tif 000007